(57)【特許請求の範囲】
【請求項１】
現像液を内包した現像液ポッドを有する複数のフィルムユニットと、
露光開口及びスリット状の送出口を有し、複数の前記フィルムユニットを積層して収納するケースと、
前記フィルムユニットの露光面を覆って前記露光開口を光密に塞ぎ、前記送出口から排出されるフィルムカバーと、
前記フィルムカバーの前記露光開口と対面する表面側の先端部で且つ両側縁部に、前記送出口の隙間と同じ高さで突出して形成され、最上層の前記フィルムユニットの排出を防止する同伴防止リブと、
前記フィルムカバーの前記同伴防止リブの外側部分を前記同伴防止リブの突出方向に傾斜させる曲げ誘い部と
を備えるインスタントフィルムパック。
【請求項２】
前記フィルムカバーは遮光性を有する合成樹脂成型品であり、前記曲げ誘い部は前記同伴防止リブに対し前記フィルムカバーの幅方向外側で前記同伴防止リブに沿って前記外側部分に形成される溝である請求項１に記載のインスタントフィルムパック。
【請求項３】
前記同伴防止リブは、前記フィルムカバーの先端に向かうに従い次第に突出高さが低くなる傾斜面を有する請求項１または２記載のインスタントフィルムパック。
【請求項４】
マスクシートと、前記マスクシートの上に貼り付けられる感光シートと、前記感光シートの上に貼り付けられ、表面側が前記露光面となるカバーシートと、前記露光面の幅方向と直交する搬送方向における先端部に設けられ、前記現像液を内包した前記現像液ポッドとを有する前記フィルムユニットが収納される請求項１から３いずれか１項記載のインスタントフィルムパックと、
前記送出口から送り出される前記フィルムユニットを挟持して搬送する搬送ローラ対と、
前記搬送ローラ対よりも前記搬送方向の下流側に配され、前記フィルムユニットを挟持して前記現像液ポッドを押し潰すことにより前記現像液を前記感光シート及び前記カバーシートの間に展開する展開ローラ対と、
前記搬送ローラ対と前記展開ローラ対との間で、前記露光面の幅方向に延在して形成されており、先端が前記フィルムユニットに接触して前記現像液ポッドの押し潰しにより展開された前記現像液の分布を制御する制御部材と、
前記展開ローラ対を前記フィルムカバーが通過する状態で、前記展開ローラ対の前記フィルムカバーの出口側に設けられ、前記曲げ誘い部により曲げられた前記同伴防止リブの前記外側部分を出口に案内する排出ガイドと
を備える現像液展開装置。
【請求項５】
前記排出ガイドは、前記展開ローラ対から送り出される前記フィルムカバーの先端部をフィルム排出口に向けて案内するガイド通路を有し、
前記ガイド通路は基端面に対して傾斜して設けられる傾斜面を有し、
前記傾斜面の基端面に対する傾斜角は１５°以上５５°以下である
請求項４記載の現像液展開装置。
【請求項６】
請求項４又は５に記載の現像液展開装置と、前記現像液展開装置に対して前記搬送方向の上流側に設けられ、前記露光面の幅方向に平行なライン状のプリント光を、前記搬送ローラ対により搬送される前記フィルムユニットの前記露光面に照射する露光ヘッドとを備えるプリンタ。
【請求項７】
請求項６記載のプリンタと、撮像光学系を有し、被写体像を撮像して画像データを前記プリンタに出力する撮像ユニットとを備えるプリンタ付きデジタルカメラ。
【発明の詳細な説明】
【技術分野】
【０００１】
本発明は、インスタントフィルムパック及びそれを用いる現像液展開装置、プリンタ、カメラ等の装置類に関する。
【背景技術】
【０００２】
箱形状のケース内に、モノシートタイプのインスタントフィルムユニット（以下、フィルムユニットと省略する）を複数枚収納したインスタントフィルムパックが各種販売されている。ケースは、遮光性を有する合成樹脂で形成されており、フィルムユニットの露光面を露呈させる露光開口と、フィルムユニットをケースから送り出すスリット形状の送出口とが設けられている。このインスタントフィルムパックは、インスタントカメラやプリンタ等の装置に用いられ、これらの装置類に設けられたフィルムパック室にケースごと装填される。【０００３】
インスタントフィルムパックは、未使用時には送出口と露光開口とが塞がれてケース内が遮光されている。送出口は、遮光性を有する合成樹脂フィルムで形成された遮光シートが外側から貼付されることにより遮光されている。また、露光開口は、フィルムユニットと一緒に収納されるフィルムカバーによって内側から塞がれる。フィルムカバーは、遮光性を有する合成樹脂を用いて薄板形状に形成されたものであり、露光開口と最前列のフィルムユニットとの間に配置される。このフィルムカバーには、ケースの内壁面で露光開口の側方に設けられた溝に嵌合してケース内の遮光能を向上させる遮光リブが設けられている。【０００４】
インスタントフィルムパックを使用する装置類には、フィルムカバーと露光済みのフィルムユニットとを装置類の外に排出するための排出機構が組み込まれている。この排出機構は、クロー部材と、クロー部材駆動機構と、搬送ローラ対と、展開ローラ対とを有する。クロー部材は、ケースの前面下方に設けられた切欠に下方から入り込み、フィルムユニットの下端縁を引っかけて送出口のある上方に向けて押し上げる。クロー部材駆動機構は、クロー部材を駆動する。搬送ローラ対は、ケースから送り出されたフィルムユニットを挟み込んで回転することによりフィルムユニットを搬送する。展開ローラ対は、搬送ローラ対からのフィルムユニットを装置類の外に排出し、同時に現像液の展開を行う。【０００５】
インスタントフィルムパックを使用する装置類において発生する問題で最も多いのは、ケースからフィルムユニットを排出する際の排出不良である。その原因はフィルムユニットの反りや変形等によるものが多く、特にフィルムユニットの両側端部の形状のバラツキが大きいことによる。このため、フィルムユニットの端縁がケースの送出口に引っ掛かることがある。【０００６】
また、上記した排出機構はフィルムユニットの適正な排出と、適正な現像液の展開とを主たる目的として設計されているため、フィルムユニットよりも剛性の高いフィルムカバーを排出する際に、大きな負荷がかかってしまい、故障等の原因になる。これを解決するために、フィルムカバーはできる限り薄肉化されているが、フィルムカバーを薄くし過ぎると、フィルムカバーの排出時に最前列のフィルムユニットが一緒に排出されてしまう共排出（同伴）が起こる。そのため、露光開口に対面する側のフィルムカバーの面に、ケースの内壁面に当接してフィルムカバーをフィルムユニット側に押し上げる押上げリブ（同伴防止リブ）を排出方向に沿って形成している。この押上げリブによって、フィルムカバーの排出中にフィルムユニットが送出口に対面しないようにして、フィルムカバーとフィルムユニットとが一緒に排出されるのを防止している（特許文献１参照）。
【先行技術文献】
【特許文献】
【０００７】
【特許文献１】特開２０００−８１６８９号公報
【発明の概要】
【発明が解決しようとする課題】
【０００８】
ところで、フィルムユニットのサイズの多様化の要請により、従来のフィルムユニットよりも幅広であり、且つ長さも長い例えば略正方形のスクエアサイズが望まれている。このようなスクエアサイズでは、フィルムユニットの露光面を覆うフィルムカバーも従来のサイズよりも面積が大きくなる。従って、サイズが大きくなる分だけ、従来のものよりも成型時の歪みが出やすく、中央部が凹になり周縁部が凸になる球面状に変形してしまう。【０００９】
球面状に変形したフィルムカバーは、複数枚のフィルムユニットと共にケース内に収納される。ケース内の蓋には、支持片、支持リブが突出して形成されており、最前列のフィルムカバー又はフィルムユニットをケースの露光開口の縁部に押しつけている。また、フィルムパックをカメラやプリンタなどのフィルムパック室に装填すると、フィルムパック室内の押圧部材が蓋の開口からケース内に入り、ケース内のフィルムユニット押圧板を押圧して、最前列に位置するフィルムカバー又はフィルムユニットをケースの露光開口の縁部に押しつける。【００１０】
このため、従来のものに比べて面積が大きいスクエアサイズのフィルムカバーになると、フィルムカバーの変形量が無視できなくなり、ケースの送出口の両端部にフィルムカバーの両側縁部が引っ掛かるおそれがある。両側縁部が引っ掛かると、フィルムカバーの排出ができなくなる。【００１１】
本発明は、上記問題点を解決するためのもので、フィルムカバーの排出不良を防止するインスタントフィルムパック及びそれを用いる装置類を提供することを目的とする。
【課題を解決するための手段】
【００１２】
上記問題点を解決するために、本発明のインスタントフィルムパックは、複数のフィルムユニットと、ケースと、フィルムカバーと、同伴防止リブと、曲げ誘い部とを備える。フィルムユニットは、現像液を内包した現像液ポッドを有する。ケースは、露光開口及びスリット状の送出口を有し、複数のフィルムユニットを積層して収納する。フィルムカバーは、フィルムユニットの露光面を覆って露光開口を光密に塞ぎ、送出口から排出される。同伴防止リブは、フィルムカバーの露光開口と対面する表面側の先端部で且つ両側縁部に、送出口の隙間と同じ高さで突出して形成され、最上層のフィルムユニットの排出を防止する。曲げ誘い部は、フィルムカバーの同伴防止リブの外側部分を同伴防止リブの突出方向に傾斜させる。【００１３】
フィルムカバーは遮光性を有する合成樹脂成型品であり、曲げ誘い部は同伴防止リブに対しフィルムカバーの幅方向外側で同伴防止リブに沿って外側部分に形成される溝であることが好ましい。【００１４】
同伴防止リブは、フィルムカバーの先端に向かうに従い次第に突出高さが低くなる傾斜面を有することが好ましい。【００１５】
本発明の現像液展開装置は、マスクシートと、マスクシートの上に貼り付けられる感光シートと、感光シートの上に貼り付けられ、表面側が露光面となるカバーシートと、露光面の幅方向と直交する搬送方向における先端部に設けられ、現像液を内包した現像液ポッドとを有するフィルムユニットが収納される上記のインスタントフィルムパックと、搬送ローラ対と、展開ローラ対と、制御部材と、排出ガイドとを備えることが好ましい。搬送ローラ対は、送出口から送り出されるフィルムユニットを挟持して搬送する。展開ローラ対は、搬送ローラ対よりも搬送方向の下流側に配され、フィルムユニットを挟持して現像液ポッドを押し潰すことにより現像液を感光シート及びカバーシートの間に展開する。制御部材は、搬送ローラ対と展開ローラ対との間で、露光面の幅方向に延在して形成されており、先端がフィルムユニットに接触して現像液ポッドの押し潰しにより展開された現像液の分布を制御する。排出ガイドは、展開ローラ対をフィルムカバーが通過する状態で、展開ローラ対のフィルムカバーの出口側に設けられ、曲げ誘い部により曲げられた同伴防止リブの外側部分を出口に案内する。【００１６】
排出ガイドは、展開ローラ対から送り出されるフィルムカバーの先端部をフィルム排出口に向けて案内するガイド通路を有し、ガイド通路は基端面に対して傾斜して設けられる傾斜面を有し、傾斜面の基端面に対する傾斜角は１５°以上５５°以下であることが好ましい。【００１７】
本発明のプリンタは、上記現像液展開装置と、露光ヘッドとを備える。露光ヘッドは、現像液展開装置に対して搬送方向の上流側に設けられ、露光面の幅方向に平行なライン状のプリント光を、搬送ローラ対により搬送されるフィルムユニットの露光面に照射する。【００１８】
本発明のデジタルカメラは、上記プリンタと、撮像ユニットとを備える。撮像ユニットは、撮像光学系を有し、被写体像を撮像して画像データをプリンタに出力する。
【発明の効果】
【００１９】
本発明によれば、フィルムカバーの排出不良を防止することができる。
【図面の簡単な説明】
【００２０】
【図１】プリンタ付きデジタルカメラの正面側斜視図である。
【図２】プリンタ付きデジタルカメラの正面図である。
【図３】図２のIII−III線に沿って切断した断面図である。
【図４】プリンタ付きデジタルカメラの背面側斜視図である。
【図５】インスタントフィルムパックの斜視図である。
【図６】インスタントフィルムパックの断面図である。
【図７】インスタントフィルムパックを分解して示す斜視図である。
【図８】インスタントフィルムパックの断面図である。
【図９】フィルムユニットの断面図である。
【図１０】フィルムユニットの正面図である。
【図１１】現像液ポッドの包材を開いて示す斜視図である。
【図１２】フィルムカバーの斜視図である。
【図１３】フィルムカバーの断面図である。
【図１４】曲げ誘い溝を示す斜視図である。
【図１５Ａ】本発明の曲げ誘い溝を有するフィルムカバーと送出口とを示す正面図である。
【図１５Ｂ】本発明の曲げ誘い溝を有していないフィルムカバーと、送出口とを示す正面図である。
【図１６】フィルムカバーの平面図である。
【図１７】プリンタ部の断面図である。
【図１８】プリンタ部の斜視図である。
【図１９】プリンタ部をフィルムカバーが通過する状態を示す平面図である。
【図２０】プリンタ部をフィルムユニットが通過する状態を示す平面図である。
【図２１】現像液ポッドを展開ローラ対により押しつぶしている状態を示す断面図である。
【図２２Ａ】展開制御部材の先端形状の一例を示す断面図である。
【図２２Ｂ】展開制御部材の先端形状の一例を示す断面図である。
【図２３Ａ】従来の展開制御部材の先端形状の一例を示す断面図である。
【図２３Ｂ】従来の展開制御部材の先端形状の一例を示す断面図である。
【図２４】展開制御部材の幅が一定範囲内の場合の現像液の展開状態を示す正面図である。
【図２５】第２実施形態におけるプリンタ付きデジタルカメラの外観を背面、平面、及び右側面側から視た斜視図である。
【図２６】第２実施形態におけるプリンタ付きデジタルカメラの外観を背面、平面、及び左側面側から視た斜視図である。
【図２７】第２実施形態におけるプリンタ付きデジタルカメラの背面図である。
【図２８】第２実施形態におけるプリンタ付きデジタルカメラの平面図である。
【図２９】図２８のXXIX−XXIX線に沿って切断した断面図である。
【図３０】フィルム押さえ部の分解斜視図である。
【図３１】第３実施形態におけるプリンタの外観を背面、平面、及び右側面側から視た斜視図である。
【図３２】第３実施形態におけるプリンタの外観を背面、平面、及び左側面側から視た斜視図である。
【図３３】第３実施形態におけるプリンタの外観を背面、底面、及び右側面側から視た斜視図である。
【図３４】第３実施形態におけるプリンタの外観を背面、底面、及び左側面側から視た斜視図である。
【図３５】第３実施形態におけるプリンタの正面図である。
【図３６】第３実施形態におけるプリンタの背面図である。
【図３７】第３実施形態におけるプリンタの平面図である。
【図３８】第３実施形態におけるプリンタの底面図である。
【図３９】第３実施形態におけるプリンタの左側面図である。
【図４０】第３実施形態におけるプリンタの右側面図である。
【図４１】図３６のXLI−XLI線に沿って切断した断面図である。
【図４２】図３６のXLII−XLII線に沿って切断した断面図である。
【図４３】図３６のXLIII−XLIII線に沿って切断した断面図である。
【図４４】第４実施形態におけるプリンタの外観を背面、平面、及び右側面側から視た斜視図である。
【図４５】第４実施形態におけるプリンタの外観を背面、平面、及び左側面側から視た斜視図である。
【図４６】第４実施形態におけるプリンタの背面図である。
【図４７】図４６のXLVII−XLVII線に沿って切断した断面図である。
【図４８】図４６のXLVIII−XLVIII線に沿って切断した断面図である。
【図４９】図４６のXLIX−XLIX線に沿って切断した断面図である。
【図５０】第５実施形態におけるプリンタの外観を背面、平面、及び右側面側から視た斜視図である。
【図５１】第５実施形態におけるプリンタの外観を背面、平面、及び左側面側から視た斜視図である。
【図５２】第５実施形態におけるプリンタの背面図である。
【図５３】図５２のLIII−LIII線に沿って切断した断面図である。
【図５４】図５２のLIV−LIV線に沿って切断した断面図である。
【図５５】図５２のLV−LV線に沿って切断した断面図である。
【図５６】第６実施形態におけるプリンタの外観を背面、平面、及び右側面側から視た斜視図である。
【図５７】第６実施形態におけるプリンタの外観を背面、平面、及び左側面側から視た斜視図である。
【図５８】第６実施形態におけるプリンタの背面図である。
【図５９】第６実施形態におけるプリンタの平面図である。
【図６０】第６実施形態におけるプリンタの左側面図である。
【図６１】第６実施形態におけるプリンタの右側面図である。
【発明を実施するための形態】
【００２１】
［第１実施形態］
図１において、本発明のプリンタ付きデジタルカメラ１０は、カメラボディ１１と、撮像ユニット１２と、プリンタ部１３とを備える。カメラボディ１１の前面には、撮像窓１５と、２個のレリーズスイッチ１６Ａ，１６Ｂとが設けられている。
【００２２】
図２に示すように、カメラボディ１１は、前面から視た形状がほぼ正方形である。なお、プリンタ付きデジタルカメラ１０で使用する記録媒体としてのフィルムユニット２９（図７参照）もほぼ正方形である。
【００２３】
撮像窓１５は、カメラボディ１１の前面中央に配される。撮像窓１５は、撮像ユニット１２を構成する撮像光学系１９（図３参照）を露呈させる。
【００２４】
図３に示すように、撮像ユニット１２には、撮像光学系１９と、固体撮像素子２０とが設けられている。固体撮像素子２０は、例えば、ＣＭＯＳ（Complementary Metal Oxide Semiconductor）型イメージセンサであり、２次元マトリクス状に配列された複数の画素（図示せず）により構成される受光面を有している。各画素は、光電変換素子を含んでおり、撮像光学系１９により受光面に結像された被写体像を光電変換し、撮像信号を生成する。
【００２５】
固体撮像素子２０は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２０から内蔵メモリ（図示せず）に出力する。固体撮像素子２０の出力信号は、画素ごとに１つの色信号を有する画像データ（いわゆるＲＡＷデータ）である。
【００２６】
レリーズスイッチ１６Ａ，１６Ｂのうち、少なくとも一方が押圧操作されることにより、固体撮像素子２０が駆動され、被写体像が撮像される。
【００２７】
カメラボディ１１の上面には、フィルム排出口２２が設けられている。フィルム排出口２２からは、画像のプリントが完了したフィルムユニット２９が排出される。
【００２８】
カメラボディ１１の背面側には、装填蓋２４がヒンジ部２４ｃにより取り付けられている。ヒンジ部２４ｃは、装填蓋２４を開き位置と閉じ位置との間で回動自在に支持する。開き位置では、２点鎖線で示すように、装填蓋２４は、カメラボディ１１内のフィルムパック室２５を開放する。閉じ位置では、実線で示すように、装填蓋２４はフィルムパック室２５を覆う。フィルムパック室２５内には、インスタントフィルムパック２６が装填される。装填蓋２４には、その内面に一対の押圧部材２４ａ，２４ｂが設けられている。
【００２９】
図４に示すように、装填蓋２４の外面、すなわち、カメラボディ１１の背面には、背面表示部１７及び操作部１８が設けられている。背面表示部１７は、例えばＬＣＤ（Liquid Crystal Display）パネルから構成されている。背面表示部１７には、固体撮像素子２０から出力された１フレーム分の画像データが順次入力され、スルー画として表示される。
【００３０】
撮影者によりレリーズスイッチ１６Ａ，１６Ｂの少なくとも一方が押圧操作されると、撮影が開始される。撮影では、固体撮像素子２０から画像データが取得される。この画像データに対し図示しない画像処理部により、公知の画像処理が施され、その後に圧縮処理される。画像処理としては、例えばマトリクス演算、デモザイク処理、γ補正、輝度変換、色差変換、リサイズ処理などがある。画像処理及び圧縮済みの画像データは、カメラボディ１１内に設けられたフラッシュメモリなどの内蔵メモリ（図示せず）に記録される。
【００３１】
操作部１８のメニュースイッチ１８ａが押圧操作されると、内蔵メモリに記録された画像データに基づいて、画像が背面表示部１７に再生表示される。そして、プリントしたい画像が背面表示部１７に表示された場合、撮影者が操作部１８のプリントスイッチ１８ｂを押圧操作することで、プリンタ部１３によるプリント処理が開始される。
【００３２】
図５及び図６において、インスタントフィルムパック２６は、ケース２７と、フィルムユニット押圧板２８と、フィルムユニット２９と、フィルムカバー３０とを備えている。
【００３３】
図６に示すように、ケース２７は、複数枚のフィルムユニット２９と１枚のフィルムカバー３０とを積層して収納する。ケース２７は、熱可塑性樹脂、あるいは熱可塑性樹脂にセルロースを混合した紙樹脂などの材料で形成されている。ケース２７は、箱形状のケース部材３１と、ケース部材３１の背面側に形成された開口を覆う蓋３２とから構成される。
【００３４】
図７に示すように、ケース部材３１には、フィルムユニット２９を露光させるための露光開口３１ａが形成されている。以下では、インスタントフィルムパック２６において露光開口３１ａが形成されている面を「前面」、この「前面」とは反対側の面を「背面」、カメラボディ１１のフィルム排出口２２と対向する面を「上面」、この「上面」とは反対側の面を「底面」として説明する。ケース部材３１内において、露光開口３１ａに最初にセットされるフィルムユニット２９の前にフィルムカバー３０が重ねられている。これにより、露光開口３１ａはフィルムカバー３０によって光密に塞がれる。また、露光開口３１ａの下部には、カメラに設けた周知のクロー部材５７（図１７，図１８参照）が入り込む切欠３１ｂが設けられている。
【００３５】
ケース部材３１の上面には送出口３１ｃが形成されている。送出口３１ｃはスリット状に形成されている。送出口３１ｃからは、ケース部材３１の切欠３１ｂに挿入されたクロー部材５７によって、フィルムユニット２９又はフィルムカバー３０が１枚ずつインスタントフィルムパック２６の外に送り出される。
【００３６】
ケース部材３１には、送出口３１ｃを外部から塞ぐように遮光シール３１ｄが貼り付けられている。遮光シール３１ｄは、柔軟性を有するシート状に形成されている。遮光シール３１ｄは、フィルムユニット２９又はフィルムカバー３０が送出口３１ｃを通過する時に邪魔することがないように、送出口３１ｃの長辺側の一縁だけが貼り付けられている。
【００３７】
図８に示すように、ケース部材３１には、露光開口３１ａの両側方、かつフィルムカバー３０と対面する内壁面に一対の遮光溝３１ｅが形成されている。一対の遮光溝３１ｅには、後述するフィルムカバー３０の一対の外側遮光リブ３０ｃが入り込む。
【００３８】
図７に示すように、蓋３２は、一対の開口３２ａと、一対のユニット支持突起３２ｂと、一対のカシメピン３２ｃと、支持片３２ｄとを有している。一対の開口３２ａは、上下に所定間隔だけ離して形成されており、カメラに装填された時にカメラに設けた押圧部材２４ａ，２４ｂが入り込む入り口となる。
【００３９】
一対のユニット支持突起３２ｂは、蓋３２の両側縁部に縦長にそれぞれ設けられており、中央部が露光開口３１ａに向けて突出する円弧状となっている。ユニット支持突起３２ｂは、最後層に位置するフィルムユニット２９の裏面の両側縁部に当接し、中央部を露光開口３１ａに向けて凸とした円弧状にフィルムユニット２９を押し上げる。これにより、フィルムカバー３０と露光開口３１ａとの間に隙間が生じることを防止する。
【００４０】
一対のカシメピン３２ｃは、フィルムユニット押圧板２８を取り付けるためのものである。支持片３２ｄは、最後層のフィルムユニット２９の中央部分を背後から支持し、そのフィルムユニット２９の中央部が蓋３２に向かって湾曲する方向に撓むことを防止する。
【００４１】
フィルムユニット押圧板２８は、弾性を有する合成樹脂製の２枚のシート２８ａ，２８ｂからなる。シート２８ａは、装填蓋２４を閉じた時に押圧部材２４ａ，２４ｂにより押圧され、蓋３２に向かって凸となるように湾曲する。シート２８ａには、開口２８ｃと、一対の穴２８ｄとが形成されている。開口２８ｃは、シート２８ａの中央部分に縦長に形成されており、支持片３２ｄを挿通するためのものである。一対の穴２８ｄには、一対のカシメピン３２ｃが挿入され、フィルムユニット押圧板２８を蓋３２に取り付けるためのものである。
【００４２】
シート２８ｂには、開口２８ｅと、一対の穴２８ｆとが形成されている。開口２８ｅは、シート２８ａの中央部分に形成されており、支持片３２ｄを挿通するためのものである。一対の穴２８ｆには、一対のカシメピン３２ｃが挿入される。シート２８ｂは、下端部２８ｈがシート２８ａの下端部２８ｇに取り付けられている。これにより、シート２８ｂは、シート２８ａの弛みを防ぎ、また一対の開口３２ａからの光漏れを防止すると共に、押圧部材２４ａ，２４ｂによりシート２８ａが弾性屈曲した時に、フィルムユニット２９を略平面的に押し上げる。この結果、最前層のフィルムカバー３０又はフィルムユニット２９がケース部材３１の前面裏側に押し付けられる。
【００４３】
図９に示すように、フィルムユニット２９は、マスクシート３３と、感光シート３４と、カバーシート３５と、現像液ポッド３６と、トラップ部３７とから構成されており、いわゆるモノシートタイプのフィルムである。マスクシート３３は薄い合成樹脂でシート状に形成され、画面開口３３ａを備えている。感光シート３４には、感光層、拡散反射層、受像層等が設けられている。カバーシート３５は、後述する露光ヘッド５１と対面する露光面２９ａを有する。
【００４４】
現像液ポッド３６は、略袋状に形成されており、その内部に現像液３８が内包されている。この現像液ポッド３６は、感光シート３４の送出口３１ｃ側の端部上に貼着され、マスクシート３３の端部で包まれている。露光面２９ａの幅方向において、現像液ポッド３６の両端は、フィルムユニット２９の両端からそれぞれ所定間隔だけ離してある。
【００４５】
図１０に示すように、現像液ポッド３６の幅Ｗ１は、露光面２９ａの幅Ｗ２と同じである。なお、ここでいう幅が同じとはほぼ同じ場合を含む。フィルムユニット２９のうち、露光面２９ａの幅方向における現像液ポッド３６の両端よりも外側の部分が側縁部２９ｂである。図９に示すように、トラップ部３７は、感光シート３４の送出口３１ｃ側とは反対側の端部上に貼着され、同様にマスクシート３３の端部で包まれている。
【００４６】
詳しくは後述するが、フィルムユニット２９は、プリント時において、感光層に対してプリント光が照射され、感光層が露光される。現像時には現像液ポッド３６が裂開されて、感光シート３４とカバーシート３５の隙間３９に現像液３８が流し込まれて展開される。感光層の露光による画像は拡散反射層によって反転されて受像層に転写される。こうして、画面開口３３ａより露呈される感光シート３４のポジ画像観察面４０上にポジ画像が現れる。
【００４７】
現像液ポッド３６は、図１１に示すように、包材４４から形成され、現像液３８（図９参照）を内包する。包材４４は、紙支持体にアルミ箔を貼り合わせ接着剤を塗布したものである。現像液ポッド３６の中央付近には、図中網掛けハッチングで示すように、ミッドシール４６〜４８が設けられている。また、現像液３８が流出する出口部分には、図中ハッチングで示すように、弱シール４９が施されている。弱シール４９で接着される出口部分は、ミッドシール４６〜４８よりも弱い接着力で接着されている。
【００４８】
ミッドシール４６，４７は、フィルムユニット２９の幅方向において、現像液ポッド３６を３分割する位置で、かつ現像液３８の出口側の位置を接着する。また、ミッドシール４８は、フィルムユニット２９の幅方向における中央、かつ現像液３８の出口側とは反対側の位置を接着する。
【００４９】
ミッドシール４６〜４８は現像液３８の展開を制御する機能を有する。具体的には、ミッドシール４６〜４８は、後述する展開ローラ対５４の押し潰しにより弱シール４９が破れて現像液３８が出口部分から流出する際に、図１０の破線で示すように、現像液ポッド３６から隙間３９（図９参照）へ３分割で現像液３８を展開する。
【００５０】
図１２及び図１３に示すように、フィルムカバー３０は、フィルムユニット２９よりも薄いシート状に形成され、遮光性と柔軟性とを有する。フィルムカバー３０は合成樹脂成型品であり、例えば、カーボンブラックを含有するポリスチレンで形成されている。
【００５１】
フィルムカバー３０は、カバー部材３０ａと、一対の同伴防止リブ３０ｂと、一対の外側遮光リブ３０ｃと、一対の内側遮光リブ３０ｄと、遮光フィルム３０ｅと、曲げ誘い部としての曲げ誘い溝３０ｇとを備えている。
【００５２】
カバー部材３０ａの露光開口３１ａ（図７参照）と対面する表面には、同伴防止リブ３０ｂ、外側遮光リブ３０ｃ、内側遮光リブ３０ｄ、及び曲げ誘い部としての曲げ誘い溝３０ｇが、それぞれ一体に形成されている。外側遮光リブ３０ｃ及び内側遮光リブ３０ｄは、フィルムカバー３０が送出口３１ｃから送り出される場合の送出方向において、同伴防止リブ３０ｂよりも基端側に位置している。カバー部材３０ａの裏面には、遮光フィルム３０ｅが貼り付けられている。
【００５３】
カバー部材３０ａは、少なくとも露光開口３１ａを塞ぐ広さの幅を有しており、本実施形態では幅が７２．２ｍｍとされている。
【００５４】
同伴防止リブ３０ｂは、フィルムカバー３０の送出方向における先端から送出方向と平行に配されている。同伴防止リブ３０ｂは、フィルムカバー３０が送出口３１ｃから送り出される場合に、次層のフィルムユニット２９が一緒に送り出されることを防止する。このため、同伴防止リブ３０ｂは、露光開口３１ａと対面するカバー部材３０ａの表面側の先端部で且つ両側縁部に、送出口３１ｃの隙間と同じ高さで突出して形成され、最上層のフィルムユニット２９の排出を防止する。同伴防止リブ３０ｂの高さは、送出口３１ｃの隙間と同じ場合とほぼ同じ場合を含む。
【００５５】
図１３及び図１４に示すように、同伴防止リブ３０ｂには、カバー部材３０ａの基端側から先端に向かって次第に突出高さが低くなる傾斜面４１が形成されている。傾斜面４１は、カバー部材３０ａに対する傾斜角αが７°〜３０°（７°以上３０°以下であり、以下の説明において、「〜」は上下限値を含む）とすることが好ましい。傾斜角αをこの範囲内に設定することにより、フィルムカバー３０の先端が展開ローラ対（図１７参照）５４を通過する際に、展開ローラ対５４を回転するモータの負荷が急激に増加することがなく、フィルムカバー３０の先端を円滑に通過させることができる。
【００５６】
図１４に示すように、曲げ誘い溝３０ｇは、フィルムカバー３０の先端部であって、同伴防止リブ３０ｂから外側の部分（以下、側縁部）３０ｆを同伴防止リブ３０ｂの突出方向（矢印Ａ１）に傾斜させるように、曲げを誘うものである。曲げ誘い溝３０ｇは断面形状が円弧状に形成され、同伴防止リブ３０ｂに対しカバー部材３０ａの幅方向外側で同伴防止リブ３０ｂに沿って形成されている。
【００５７】
曲げ誘い溝３０ｇの断面形状は特に限定されることはなく、例示の円弧の外に、三角形、四角形、その他の断面形状であってよい。曲げ誘い溝３０ｇは、同伴防止リブ３０ｂに沿って連続して形成されるものの外に、同伴防止リブ３０ｂに沿って断続的に形成されてもよい。また、曲げ誘い溝３０ｇを同伴防止リブ３０ｂ側に形成しているが、図示は省略したが、例えば同伴防止リブ３０ｂとは反対側の面に形成してもよい。この場合にも、溝によって同伴防止リブ３０ｂから外側の側縁部３０ｆを同伴防止リブ３０ｂの突出方向に傾斜させるように曲げを誘うことができる。
【００５８】
図１５Ａ、図１５Ｂは曲げ誘い溝３０ｇによる送出口３１ｃからのフィルムカバー３０の排出効果を説明するためのものであり、フィルムカバー３０，２０１の歪み状態と、送出口３１ｃとの関係を示している。図１５Ａは本発明の曲げ誘い溝３０ｇを有しているフィルムカバー３０を示し、図１５Ｂは曲げ誘い溝３０ｇを有していない従来のフィルムカバー２０１を示している。
【００５９】
本発明のスクエアサイズのインスタントフィルムパック２６では、従来のインスタントフィルムパックに比べて露光面２９ａの面積が大きい。このため、フィルムカバー３０の成型時に、中央部が球面状に突出する歪み量も大きくなっている。しかも、図１５Ｂに示すように、インスタントフィルムパック２６内では、フィルムカバー３０は、押圧部材２４ａ，２４ｂ等の押圧によって、矢印で示すように中央部が強く、両側縁部３０ｆは弱く圧迫されている。従って、曲げ誘い溝３０ｇを設けていない図１５Ｂに示す従来のフィルムカバー２０１の場合には、送出口３１ｃにカバー部材３０ａの両側縁部３０ｆが引っ掛かってしまい、フィルムカバー３０の送出不良となる懸念がある。これに対して、図１５Ａに示す曲げ誘い溝３０ｇを有する本発明のフィルムカバー３０では、曲げ誘い溝３０ｇによって成型時の曲げ変形が緩和される方向に両側縁部３０ｆが曲げられる。このため、送出口３１ｃに両側縁部３０ｆが引っ掛かることがなく、フィルムカバー３０を送出口３１ｃからスムーズに排出することができる。
【００６０】
図１６に示すように、一対の外側遮光リブ３０ｃは、フィルムカバー３０の送出方向と直交する幅方向において互いに平行に配されており、送出方向に沿って細幅帯状に延びた構成とされている。
【００６１】
外側遮光リブ３０ｃは、フィルムカバー３０の幅方向の一端から所定間隔だけ離して形成されている。フィルムカバー３０の幅方向の端縁から外側遮光リブ３０ｃの外側縁４２までの部分が、フィルムカバー３０の側縁部３０ｆである。フィルムカバー３０の両側縁部３０ｆは、フィルムユニット２９の両側縁部２９ｂと対向し、かつ、両側縁部２９ｂよりも内側の部分とは非対向とされている。これにより後述するキャプスタンローラ６１によってフィルムユニット２９が搬送される場合に、フィルムユニット２９の両側縁部２９ｂのみが挟持され、現像液ポッド３６が押し潰されることが防止される。なお、両側縁部３０ｆの幅Ｄ１は、本実施形態ではそれぞれ２．３ｍｍとされている。
【００６２】
一対の外側遮光リブ３０ｃの外側縁４２同士の間隔である第２距離Ｌ２は、本実施形態では６７．６ｍｍとされている。なお、外側遮光リブ３０ｃの外側縁４２とは、フィルムカバー３０の幅方向において外側に配置される縁をいう。
【００６３】
一対の内側遮光リブ３０ｄは、フィルムカバー３０の幅方向において、一対の外側遮光リブ３０ｃよりも内側に位置する。一対の内側遮光リブ３０ｄは互いに平行に配されており、送出方向に沿って細幅帯状に延びている。一対の内側遮光リブ３０ｄは、露光開口３１ａの両側縁と対面している。
【００６４】
図８に示すように、インスタントフィルムパック２６がケース部材３１内に収納された状態で、外側遮光リブ３０ｃは遮光溝３１ｅに入り込み、内側遮光リブ３０ｄは露光開口３１ａの両側縁の近傍に位置する。これにより、遮光溝３１ｅと外側遮光リブ３０ｃと内側遮光リブ３０ｄによりラビリンス構造が構成される。このラビリンス構造により、フィルムカバー３０が厚み方向に変形してフィルムカバー３０と露光開口３１ａとの間に隙間が生じた場合でも、この隙間からインスタントフィルムパック２６の内部に外光が入射することが防止される。なお、図８においては、図面の煩雑化を避けるため、フィルムユニット２９の図示を省略している。
【００６５】
図１６に示すように、遮光フィルム３０ｅは、クロー部材５７（図１７参照）が係合されるカバー部材３０ａの下端に設けられている。遮光フィルム３０ｅは、短冊状に形成されており、カバー部材３０ａの下端から一部４３がはみ出すように貼り付けられている。はみ出した一部４３は、カバー部材３０ａの表面側に向けてＬ字状に折り曲げられている。遮光フィルム３０ｅは、少なくとも一部４３の幅が、ケース部材３１に設けられた切欠３１ｂの幅よりも広くされている。この遮光フィルム３０ｅの一部４３により切欠３１ｂが内側から塞がれ、切欠３１ｂからインスタントフィルムパック２６の内部に外光が入射することが防止される。
【００６６】
なお、図示は省略しているが、カバー部材３０ａの上端中央部には、遮光性を有する合成樹脂フィルムで形成された先端遮光フラップが取り付けられている。この先端遮光フラップは、ケース２７内でフィルムユニット２９側に屈曲されて送出口３１ｃの中央部分を塞ぐ。これにより、インスタントフィルムパック２６を床等に落下させた際の衝撃によって、フィルムカバー３０やフィルムユニット２９が送出口３１ｃから飛び出してしまうのを防止する。
【００６７】
図１７，図１８に示すように、プリンタ部１３は、露光ヘッド５１と、現像液展開装置５２とから構成される。露光ヘッド５１は、例えば、光源、液晶シャッタ、レンズ等から構成される。
【００６８】
露光ヘッド５１は、現像液展開装置５２に対してフィルムユニット搬送方向の上流側で、フィルムユニット搬送路と対面する位置に配されている。この露光ヘッド５１は、フィルムユニット２９の幅方向に平行なライン状のプリント光を露光面２９ａに照射する。
【００６９】
現像液展開装置５２は、搬送ローラ対５３と、展開ローラ対５４と、展開制御部材５６と、フィルムパック室２５（図３及び図１７参照）と、クロー部材５７と、クロー部材駆動機構（図示せず）と、排出ガイド５８とから構成される。
【００７０】
クロー部材５７は、クロー部材駆動機構により、ケース部材３１の切欠３１ｂに挿入され、フィルムカバー３０、又は最前に位置するフィルムユニット２９を押圧する。これによりフィルムカバー３０、又は最前に位置するフィルムユニット２９を送出口３１ｃからインスタントフィルムパック２６外に送り出す。
【００７１】
搬送ローラ対５３及び展開ローラ対５４は、モータ（図示せず）により回転駆動され、フィルムカバー３０及びフィルムユニット２９を挟持して搬送する。搬送ローラ対５３は、キャプスタンローラ６１及びピンチローラ６２から構成される。キャプスタンローラ６１及びピンチローラ６２は、フィルムユニット２９の搬送路を挟み込む位置に配置される。
【００７２】
キャプスタンローラ６１は、フィルムユニット２９の露光面２９ａに対向する側（搬送路の図中左側）に配置されている。キャプスタンローラ６１は、円柱状の一対のローラ部材６１ａと各ローラ部材６１ａを保持する回転軸６１ｂとから構成される。ローラ部材６１ａの周面には、微小な複数の突起からなるスパイク（図示省略）が形成されている。
【００７３】
図１９及び図２０に示すように、一対のローラ部材６１ａの内側縁６１ｃ同士の間隔である第１距離Ｌ１は、上記した第２距離Ｌ２よりも長い。これにより、フィルムカバー３０に対する搬送ローラ対５３の保持力が向上する。さらに、フィルムカバー３０に対する搬送ローラ対５３の保持面積が増加したので、フィルムカバー３０との間に生じる摩擦力も増加する。よって、低トルクでも十分な保持力で搬送することができる。なお、一対のローラ部材６１ａの内側縁６１ｃとは、回転軸６１ｂの軸方向において内側に配置される縁をいう。
【００７４】
図２０に示すように、一対のローラ部材６１ａは、フィルムユニット２９の両側縁部２９ｂに摺接する位置に配置されている。すなわち、搬送ローラ対５３の内側縁６１ｃ同士の間隔である第１距離Ｌ１は、現像液ポッド３６の幅Ｗ１よりも長い。これにより、搬送ローラ対５３は、フィルムユニット２９の現像液ポッド３６を裂開せずに搬送を行うことができる。
【００７５】
図２１に示すように、ピンチローラ６２は、フィルムユニット２９のポジ画像観察面４０に対向する側（搬送路の図中右側）に配置されている。ピンチローラ６２は、ローラ部材６２ａと回転軸６２ｂとから構成される。このローラ部材６２ａの両端部は、押圧機構としてのバネ６６により、キャプスタンローラ６１側に押圧されている。
【００７６】
搬送ローラ対５３は、クロー部材５７によりインスタントフィルムパック２６から送り出されたフィルムユニット２９の両側縁部２９ｂを挟んで、展開ローラ対５４に向けて搬送する。なお、露光ヘッド５１がプリント光をフィルムユニット２９に露光する露光位置Ｐ（図１７参照）は、インスタントフィルムパック２６の送出口３１ｃと、搬送ローラ対５３との間に位置する。そして、搬送ローラ対５３による搬送途中に上記の露光ヘッド５１による露光が行われる。
【００７７】
露光は、図示しないフィルムユニット２９の先端部の通過を検出する検出センサ、及びキャプスタンローラ６１の回転数を検出する回転数検出センサからの出力信号に基づき開始される。先ず、先端部通過検出センサにて先端部の通過を検出する。この検出信号に基づき、回転数検出センサで回転数の検出を開始する。回転数が一定値に達した時に、フィルムユニット２９の露光面２９ａが露光ヘッド５１に対向する位置まで搬送されたことを検出する。これにより、露光ヘッド５１による露光が開始される。
【００７８】
露光は、フィルムユニット２９を１ラインずつ移動させつつ、露光ヘッド５１によりライン画像をフィルムユニット２９に順次露光させることで行われる。これにより、フィルムユニット２９の感光層に１画面分の画像が露光される。フィルムユニット２９は、引き続き搬送ローラ対５３により展開ローラ対５４に向けて搬送される。
【００７９】
展開ローラ対５４は展開ローラ６３，６４から構成され、搬送ローラ対５３に対して搬送方向の下流側に配されている。展開ローラ６３は、フィルムユニット２９の露光面２９ａに対向する側（搬送路の図中左側）に配置されている。展開ローラ６４は、フィルムユニット２９の画像観察面に対向する側（搬送路の図中右側）に配置されている。展開ローラ６４の両端部は、押圧機構としてのバネ６７により、展開ローラ６３側に押圧されている。
【００８０】
展開ローラ６３，６４の軸端部の一方には、図示は省略するが駆動ギヤが取り付けられており、両駆動ギヤは互いに噛合している。そして、これら駆動ギヤの一方には中間ギヤ等を介して上記のモータが接続されている。このため、モータが回転すると展開ローラ６３，６４が同期して回転される。
【００８１】
展開ローラ対５４は、搬送ローラ対５３により搬送されるフィルムユニット２９を全幅に亘って挟持しながら、排出ガイド５８に搬送する。展開ローラ対５４に挟持されることによりフィルムユニット２９の現像液ポッド３６が押し潰される。これにより、隙間３９（図８参照）に現像液が展開（展延）される。そして、この展開ローラ対５４から送り出されるフィルムユニット２９は、排出ガイド５８に向けて搬送される。
【００８２】
搬送ローラ対５３と展開ローラ対５４との間には、展開制御部材５６が設けられている。展開制御部材５６は、搬送されてきたフィルムユニット２９のポジ画像観察面４０に当接し、フィルムユニット２９のポジ画像観察面４０を擦ることにより展開中の現像液の分布を制御する。この展開制御部材５６は、搬送ローラ対５３と展開ローラ対５４との間をほぼ２分する位置に配されている。このため、展開制御部材５６は、フィルムユニット２９の隙間３９に展開された現像液を、フィルムユニット２９の搬送方向に亘って制御することができる。
【００８３】
展開制御部材５６は、搬送中のフィルムユニット２９の幅方向と平行、且つフィルムユニット２９の搬送方向と直交する方向に延在する。展開制御部材５６は、板状の支持部材５６ａと一体に形成され、支持部材５６ａを介してカメラボディ１１に固定されている。
【００８４】
展開制御部材５６は、搬送中のフィルムユニット２９の露光面２９ａと直交し、かつ搬送方向と平行な断面において、展開ローラ対５４がフィルムユニット２９を挟持する挟持位置よりもフィルムユニット２９側に突出する。具体的には、展開制御部材５６は、搬送方向における寸法がフィルムユニット２９に向かって徐々に小さくなる山型形状に形成されている。これにより、展開制御部材５６は、確実にフィルムユニット２９のポジ画像観察面４０を擦ることができる。
【００８５】
図２２Ａに示すように、展開制御部材５６の先端、すなわち、山型形状の頂点側の端面５６ｂは、フィルムユニット２９の幅方法の断面において、中央部がフィルムユニット２９に向かって突出した凸形状に形成されている。具体的には、端面５６ｂは、フィルムユニット２９の幅方法の断面において、中央部が展開制御部材５６の両側縁先端に対して０．０１ｍｍ〜０．５ｍｍ突出している。なお、図２２Ａは、説明の都合上、展開制御部材５６の幅方向に対して厚み方向（展開制御部材５６の突出方向）の寸法を大きく作図している。
【００８６】
展開制御部材５６を含むカメラボディ１１の部品はほとんどが合成樹脂成型品なので歪みを生じる場合がある。特に、図２２Ｂに示すように、展開制御部材５６の両端がフィルムユニット２９に向かって歪むことが多い。しかし、上記したように、展開制御部材５６の先端中央部がフィルムユニット２９に向かって突出した凸形状に形成されているため、フィルムユニット２９の幅方向において均等な押圧力でフィルムユニット２９を押圧することができる。これにより、フィルムユニット２９の隙間３９に展開された現像液３８を、フィルムユニット２９の幅方向に亘って制御することができる。さらに、現像液ポッド３６から隙間３９へ３分割で現像液３８が展開され、且つ展開制御部材５６が均等な押圧力でフィルムユニット２９と当接することにより、フィルムユニット２９の幅方向において、より均等に現像液３８を展開することが可能となる。
【００８７】
一方、図２３Ａに示すように、従来の展開制御部材６９は、先端側の端面６９ａが平坦状に形成されている。このため、図２３Ｂに示すように、展開制御部材６９の両端がフィルムユニット２９に向かって歪んだ場合、フィルムユニット２９に対する中央部の押圧が弱く、両端部よりも現像液が流れやすかった。従って、露光面２９ａの４隅まで現像液が届かず、現像ムラの原因となっていた。上記したように、本発明の展開制御部材５６は、先端中央部が凸形状に形成されているため、中央部と両端部とがフィルムユニット２９を同様に押圧することが可能となる。
【００８８】
図２４に示すように、展開制御部材５６の幅Ｗ３は、露光面２９ａの幅Ｗ２より短く形成されている。具体的には、展開制御部材５６の幅Ｗ３は、露光面２９ａの幅Ｗ２の７０％〜９５％に形成されている。ここでいう展開制御部材５６の幅とは、フィルムユニット２９のポジ画像観察面４０を擦って現像液の展開を制御する端面５６ｂの幅のことである。展開制御部材５６の幅Ｗ３を、露光面２９ａの幅Ｗ２より短く形成することにより、露光面２９ａの幅方向において、展開制御部材５６の外側を現像液が回り込みやすくなる。これにより、露光面２９ａの全幅に亘って均等に現像液が展開される。以上のようにして、展開ローラ対５４によりフィルムユニット２９の隙間３９に現像液３８が展開され、且つ展開制御部材５６により搬送方向に亘って現像液３８の分布が制御された場合、露光面２９ａの４隅まで現像液が均等に展開される。これにより、フィルムユニット２９の現像ムラを防ぐことができる。
【００８９】
図２１に示すように、排出ガイド５８は、展開ローラ対５４から送り出されたフィルムユニット２９の先端部をフィルム排出口２２に向けて案内するガイド通路６８を有している。なお、排出ガイド５８は、カメラボディ１１とは別体で設けられており、図示しない支持部材を介してカメラボディ１１に固定されている。ガイド通路６８の一方のガイド面は傾斜面６８ａとなっている。傾斜面６８ａの基端面６８ｂに対する傾斜角βは１５°〜５５°の範囲内にすることが好ましく、２５°〜４５°の範囲内が特に好ましい。傾斜角βをこの範囲内に設定することにより、フィルムカバー３０の先端が排出ガイド５８を通過する際に、フィルムカバー３０の両側縁部３０ｆが排出ガイド５８の端面５８ａに係止することがない。従って、フィルムカバー３０の排出不良を無くすことができる。現像処理が終了し、展開ローラ対５４によりガイド通路６８内に送り込まれたフィルムユニット２９は、このガイド通路６８に沿ってフィルム排出口２２まで搬送され、カメラボディ１１外に排出される。
【００９０】
上記したように、展開制御部材５６の先端部は、展開ローラ対５４がフィルムユニット２９を挟持する挟持位置よりもフィルムユニット２９側に突出している。このため。フィルムユニット２９が展開ローラ対５４と、展開制御部材５６と、排出ガイド５８のガイド通路６８とに接触する。従って、フィルムユニット２９が緩やかなＳ字形状に湾曲される。その結果、フィルムユニット２９と展開制御部材５６との摺接力が増し、展開制御部材５６による現像液３８の展開がより効果的に行われる。
【００９１】
また、フィルムカバー３０が展開ローラ対５４を通過する時には、展開ローラ対５４による挟持によってフィルムカバー３０の球面状の歪みが矯正される。この矯正時に、曲げ誘い溝３０ｇによりカバー部材３０ａの両側縁部３０ｆがより一層曲げられるため、排出ガイド５８の端面５８ａに両側縁部３０ｆの先端が引っ掛かることがなく、スムーズにフィルムカバー３０を排出することができる。
【００９２】
［第２実施形態］
第２実施形態は、装填蓋にフィルム押さえ部を設け、フィルムパック室に位置合わせ突起部と、逆装填防止用切欠を設けたものである。なお、この第２実施形態では、プリンタ付きデジタルカメラの外装における形状は、上記第１実施形態のプリンタ付きデジタルカメラの正面、背面、各側面，平面、及び底面と同じであり、装填蓋の内側及びフィルムパック室の内部の形状が、第１実施形態のプリンタ付きデジタルカメラとは異なる。また、上記第１実施形態と同じ部品を用いているものについては、同符号を付して説明を省略する。
【００９３】
図２５ないし図２８に示すように、プリンタ付きデジタルカメラ８０は、カメラボディ８１を備える。また、図示は省略するが、プリンタ付きデジタルカメラ８０は、上記第１実施形態のプリンタ付きデジタルカメラ１０と同様の撮像ユニット１２と、プリンタ部１３とを備える。
【００９４】
カメラボディ８１の背面側には、装填蓋８２がヒンジ部８２ｃにより取り付けられている。ヒンジ部８２ｃは、装填蓋８２を開き位置と閉じ位置との間で回動自在に支持する。開き位置では、装填蓋８２は、カメラボディ８１内のフィルムパック室８３を開放する。閉じ位置では、装填蓋８２はフィルムパック室８３を覆う。フィルムパック室８３内には、上記第１実施形態と同じインスタントフィルムパック２６が装填される。
【００９５】
フィルムパック室８３の両側面には、位置合わせ突起部８４ａ〜８４ｃが設けられている。位置合わせ突起部８４ａ〜８４ｃは、インスタントフィルムパック２６の装填方向に沿って徐々に厚みが増加する楔状に形成されており、インスタントフィルムパック２６が逆方向に装填されることを防止する。
【００９６】
フィルムパック室８３の両側面には、逆装填防止用切欠８５ａ，８５ｂが形成されている。逆装填防止用切欠８５ａ，８５ｂは、Ｌ字状に形成されている。この逆装填防止用切欠８５ａ，８５ｂは、インスタントフィルムパック２６の両側面に設けられた突起部２６ａ（図５参照）と嵌合することにより、位置合わせ突起部８４ａ〜８４ｃと共にインスタントフィルムパック２６が逆方向に装填されることを防止する。
【００９７】
フィルムパック室８３は、インスタントフィルムパック２６の切欠３１ｂと対面する位置に、切欠８７が形成されている。切欠８７は、フィルムパック室８３の底面まで連続して形成されている。カメラボディ８１の内部に設けられたクロー部材５７が切欠８７を通してインスタントフィルムパック２６の内部に進入し、フィルムユニット２９を１枚ずつインスタントフィルムパック２６の外に送り出す。
【００９８】
装填蓋８２には、その内面に一対のフィルム押さえ部８２ａ，８２ｂが設けられている。フィルム押さえ部８２ａ，８２ｂは、上記第１実施形態の押圧部材２４ａ，２４ｂと同様に、フィルムパック室８３にインスタントフィルムパック２６が装填され、且つ装填蓋８２が閉じ位置にされた際、開口３２ａを通してインスタントフィルムパック２６の内部に入り込み、フィルムユニット押圧板２８を押圧する。これにより、インスタントフィルムパック２６内のフィルムユニット２９が積層方向に押圧される。
【００９９】
図２９に示すように、フィルム押さえ部８２ａは、一対の押圧部材８８と、保持枠８９と、バネ９１とから構成される。保持枠８９は、押圧部材８８を保持し、装填蓋８２の内壁面側に固定される。なお、フィルム押さえ部８２ｂは、フィルム押さえ部８２ａと同様の構成である。
【０１００】
図３０に示すように、押圧部材８８の一方の端部には、押圧面８８ａが形成されている。押圧面８８ａは滑らかな曲面形状に形成されている。押圧部材８８のもう一方の端部には、回動軸８８ｂが形成されている。保持枠８９には、嵌合穴８９ａが形成されている。回動軸８８ｂは、嵌合穴８９ａと回動自在に嵌合する。
【０１０１】
一対の押圧部材８８は、押圧面８８ａ及び回動軸８８ｂの位置が互いに逆向きになるように対向して保持枠８９に保持されている。保持枠８９は、例えばネジ止めにより、装填蓋８２に固定される。
【０１０２】
バネ９１は、ねじりコイルバネであり、押圧部材８８と保持枠８９との間に取り付けられる。このバネ９１は、回動軸８８ｂを中心にして押圧面８８ａが図中上方側へ回動するように押圧部材８８を付勢する。これにより、押圧面８８ａがフィルムユニット押圧板２８を押圧する。
【０１０３】
［第３実施形態］
第３実施形態は、プリンタに本発明を適用したものである。第３実施形態及び以降の実施形態のプリンタは、上記第１及び第２実施形態と同様にフィルムパック室にインスタントフィルムパック２６が装填され、スマートフォンのような電子機器等から無線通信を使用して画像データを受信し、受信した画像データに基づいて画像をフィルムユニット２９にプリントするプリンタである。なお、上記各実施形態と同じ部品を用いているものについては、同符号を付して説明を省略する。
【０１０４】
図３１ないし図４０に示すように、プリンタ１００は、本体１０１を備える。本体部１０１には、上記第１実施形態と同様のプリンタ部１３（図示せず）が設けられる。本体１０１の背面側には、装填蓋１０２がヒンジ部１０２ｃにより取り付けられている。ヒンジ部１０２ｃは、装填蓋１０２を開き位置と閉じ位置との間で回動自在に支持する。開き位置では、装填蓋１０２は、本体１０１内のフィルムパック室１０３を開放する。閉じ位置では、装填蓋１０２はフィルムパック室１０３を覆う。フィルムパック室１０３内には、上記第１実施形態と同じインスタントフィルムパック２６が装填される。なお、本体１０１には、操作ボタン１０１ａを備える。操作ボタン１０１ａは、例えばプリンタ部１３によるプリント処理を指示するプリントスイッチである。
【０１０５】
図４１ないし図４３に示すように、フィルムパック室１０３は、切欠１０４と、矩形状の枠１０６とを備える。切欠１０４は、インスタントフィルムパック２６の切欠３１ｂと対面する位置に形成され、フィルムパック室１０３の底面まで連続している。本体１０１の内部に設けられたクロー部材５７が切欠１０４を通してインスタントフィルムパック２６の内部に進入し、フィルムユニット２９を１枚ずつインスタントフィルムパック２６の外に送り出す。矩形状の枠１０６は、インスタントフィルムパック２６の露光開口３１ａと対面する位置に形成されている。
【０１０６】
［第４実施形態］
第４実施形態は、フィルムパック室に位置合わせ突起部を設けたものである。なお、この第４実施形態では、プリンタの外観形状は、上記第３実施形態のプリンタの正面、各側面，平面、及び底面と同じであり、フィルムパック室の内部を含む背面の形状が、第３実施形態のプリンタとは異なる。また、上記各実施形態と同じ部品を用いているものについては、同符号を付して説明を省略する。
【０１０７】
図４４ないし図４６に示すように、プリンタ１１０は、フィルムパック室１０３の両側面に、一対の位置合わせ突起部１１１ａ，１１１ｂが設けられている。図４７ないし図４９に示すように、位置合わせ突起部１１１ａ，１１１ｂは、上記第２実施形態の位置合わせ突起部８４ａ〜８４ｃと同様の楔状に形成されており、インスタントフィルムパック２６が逆方向に装填されることを防止する。なお、図示は省略しているが、本実施形態においてもクロー部材５７が入り込む切欠１０４、及び矩形状の枠１０６をフィルムパック室１０３に形成してもよい。
【０１０８】
［第５実施形態］
第５実施形態は、フィルムパック室に逆装填防止用切欠及び位置合わせ突起部を設けたものである。なお、この第５実施形態では、プリンタの外観形状は、上記第３実施形態のプリンタの正面、各側面，平面、及び底面と同じであり、フィルムパック室の内部を含む背面の形状が、第３実施形態のプリンタとは異なる。また、上記各実施形態と同じ部品を用いているものについては、同符号を付して説明を省略する。
【０１０９】
図５０ないし図５２に示すように、プリンタ１２０は、フィルムパック室１０３の両側面に、逆装填防止用切欠１２１ａ，１２１ｂが形成されている。図５３及び図５４に示すように、逆装填防止用切欠１２１ａ，１２１ｂは、Ｌ字状に形成されている。この逆装填防止用切欠１２１ａ，１２１ｂは、上記第２実施形態の逆装填防止用切欠８５ａ，８５ｂと同様に、インスタントフィルムパック２６が逆方向に装填されることを防止する。
【０１１０】
図５３〜図５５に示すように、フィルムパック室１０３の両側面には、位置合わせ突起部１２２ａ〜１２２ｃが設けられている。位置合わせ突起部１２２ａ〜１２２ｃは、上記第２実施形態の位置合わせ突起部８４ａ〜８４ｃと同様の楔状に形成されており、インスタントフィルムパック２６が逆方向に装填されることを防止する。なお、図示は省略しているが、本実施形態においてもクロー部材５７が入り込む切欠１０４、及び矩形状の枠１０６をフィルムパック室１０３に形成してもよい。
【０１１１】
［第６実施形態］
第６実施形態は、フィルムパック室に逆装填防止用切欠及び位置合わせ突起部を設けたものである。なお、この第６実施形態では、プリンタの外観形状は、上記第３実施形態のプリンタの正面、及び底面と同じであり、装填蓋の内側を含む背面、各側面、及び平面の形状が、第３実施形態のプリンタとは異なる。また、上記各実施形態と同じ部品を用いているものについては、同符号を付して説明を省略する。
【０１１２】
図５６〜図６１に示すように、プリンタ１３０は、装填蓋１０２の内面に、一対のフィルム押さえ部１０２ａ，１０２ｂが設けられている。フィルム押さえ部１０２ａ，１０２ｂは、上記第２実施形態のフィルム押さえ部８２ａ，８２ｂと同じ構成である。すなわち、フィルム押さえ部１０２ａ，１０２ｂは、フィルムパック室１０３にインスタントフィルムパック２６が装填され、且つ装填蓋２４が閉じ位置にされた際、開口３２ａを通してインスタントフィルムパック２６の内部に入り込み、フィルムユニット押圧板２８を押圧する。これにより、インスタントフィルムパック２６内のフィルムユニット２９が積層方向に押圧される。なお、図示は省略しているが、本実施形態においてもクロー部材５７が入り込む切欠１０４、矩形状の枠１０６、逆装填防止用切欠及び位置合わせ突起部をフィルムパック室１０３に形成してもよい。
【符号の説明】
【０１１３】
１０      プリンタ付きデジタルカメラ
１１      カメラボディ
１２      撮像ユニット
１３      プリンタ部
１５      撮像窓
１６Ａ    レリーズスイッチ
１６Ｂ    レリーズスイッチ
１７      背面表示部
１８      操作部
１８ａ    メニュースイッチ
１８ｂ    プリントスイッチ
１９      撮像光学系
２０      固体撮像素子
２２      フィルム排出口
２４      装填蓋
２４ａ，２４ｂ    押圧部材
２４ｃ    ヒンジ部
２５      フィルムパック室
２６      インスタントフィルムパック
２６ａ    突起部
２７      ケース
２８      フィルムユニット押圧板
２８ａ，２８ｂ    シート
２８ｃ，２８ｅ    開口
２８ｄ，２８ｆ    穴
２８ｇ，２８ｈ    下端部
２９      フィルムユニット
２９ａ    露光面
２９ｂ    側縁部
３０      フィルムカバー
３０ａ    カバー部材
３０ｂ    同伴防止リブ
３０ｃ    外側遮光リブ
３０ｄ    内側遮光リブ
３０ｅ    遮光フィルム
３０ｆ    側縁部
３０ｇ    曲げ誘い溝（曲げ誘い部）
３１      ケース部材
３１ａ    露光開口
３１ｂ    切欠
３１ｃ    送出口
３１ｄ    遮光シール
３１ｅ    遮光溝
３２      蓋
３２ａ    開口
３２ｂ    ユニット支持突起
３２ｃ    カシメピン
３２ｄ    支持片
３３      マスクシート
３３ａ    画面開口
３４      感光シート
３５      カバーシート
３６      現像液ポッド
３７      トラップ部
３８      現像液
３９      隙間
４０      ポジ画像観察面
４１      傾斜面
４２      外側縁
４３      一部
４４      包材
４６，４７，４８      ミッドシール
４９      弱シール
５１      露光ヘッド
５２      現像液展開装置
５３      搬送ローラ対
５４      展開ローラ対
５６      展開制御部材
５６ａ    支持部材
５６ｂ    端面
５７      クロー部材
５８      排出ガイド
５８ａ    端面
６１      キャプスタンローラ
６１ａ    ローラ部材
６１ｂ    回転軸
６１ｃ    内側縁
６２      ピンチローラ
６２ａ    ローラ部材
６２ｂ    回転軸
６３，６４      展開ローラ
６６，６７      バネ
６８      ガイド通路
６８ａ    傾斜面
６８ｂ    基端面
６９      展開制御部材
６９ａ    端面
８０      プリンタ付きデジタルカメラ
８１      カメラボディ
８２      装填蓋
８２ａ，８２ｂ    フィルム押さえ部
８２ｃ    ヒンジ部
８３      フィルムパック室
８４ａ〜８４ｃ    位置合わせ突起部
８５ａ，８５ｂ    逆装填防止用切欠
８７      切欠
８８      押圧部材
８８ａ    押圧面
８８ｂ    回動軸
８９      保持枠
８９ａ    嵌合穴
９１      バネ
１００    プリンタ
１０１    本体
１０１ａ  操作ボタン
１０２    装填蓋
１０２ａ，１０２ｂ  フィルム押さえ部
１０２ｃ  ヒンジ部
１０３    フィルムパック室
１０４    切欠
１０６    枠
１１０    プリンタ
１１１ａ，１１１ｂ  位置合わせ突起部
１２０    プリンタ
１２１ａ，１２１ｂ  逆装填防止用切欠
１２２ａ〜１２２ｃ  位置合わせ突起部
１３０    プリンタ
２０１    フィルムカバー
Ａ１      矢印
Ｄ１      両側縁部の幅
Ｌ１      第１距離
Ｌ２      第２距離
Ｐ        露光位置
Ｗ１      現像液ポッドの幅
Ｗ２      露光面の幅
Ｗ３      展開制御部材の幅
α        同伴防止リブの傾斜面のカバー部材に対する傾斜角
β        ガイド通路の傾斜面の基端面に対する傾斜角
【図１】
0006788693.tif 000002
【図２】
0006788693.tif 000003
【図３】
0006788693.tif 000004
【図４】
0006788693.tif 000005
【図５】
0006788693.tif 000006
【図６】
0006788693.tif 000007
【図７】
0006788693.tif 000008
【図８】
0006788693.tif 000009
【図９】
0006788693.tif 000010
【図１０】
0006788693.tif 000011
【図１１】
0006788693.tif 000012
【図１２】
0006788693.tif 000013
【図１３】
0006788693.tif 000014
【図１４】
0006788693.tif 000015
【図１５Ａ】
0006788693.tif 000016
【図１５Ｂ】
0006788693.tif 000017
【図１６】
0006788693.tif 000018
【図１７】
0006788693.tif 000019
【図１８】
0006788693.tif 000020
【図１９】
0006788693.tif 000021
【図２０】
0006788693.tif 000022
【図２１】
0006788693.tif 000023
【図２２Ａ】
0006788693.tif 000024
【図２２Ｂ】
0006788693.tif 000025
【図２３Ａ】
0006788693.tif 000026
【図２３Ｂ】
0006788693.tif 000027
【図２４】
0006788693.tif 000028
【図２５】
0006788693.tif 000029
【図２６】
0006788693.tif 000030
【図２７】
0006788693.tif 000031
【図２８】
0006788693.tif 000032
【図２９】
0006788693.tif 000033
【図３０】
0006788693.tif 000034
【図３１】
0006788693.tif 000035
【図３２】
0006788693.tif 000036
【図３３】
0006788693.tif 000037
【図３４】
0006788693.tif 000038
【図３５】
0006788693.tif 000039
【図３６】
0006788693.tif 000040
【図３７】
0006788693.tif 000041
【図３８】
0006788693.tif 000042
【図３９】
0006788693.tif 000043
【図４０】
0006788693.tif 000044
【図４１】
0006788693.tif 000045
【図４２】
0006788693.tif 000046
【図４３】
0006788693.tif 000047
【図４４】
0006788693.tif 000048
【図４５】
0006788693.tif 000049
【図４６】
0006788693.tif 000050
【図４７】
0006788693.tif 000051
【図４８】
0006788693.tif 000052
【図４９】
0006788693.tif 000053
【図５０】
0006788693.tif 000054
【図５１】
0006788693.tif 000055
【図５２】
0006788693.tif 000056
【図５３】
0006788693.tif 000057
【図５４】
0006788693.tif 000058
【図５５】
0006788693.tif 000059
【図５６】
0006788693.tif 000060
【図５７】
0006788693.tif 000061
【図５８】
0006788693.tif 000062
【図５９】
0006788693.tif 000063
【図６０】
0006788693.tif 000064
【図６１】
0006788693.tif 000065